(57)【要約】【課題】複数の記録層にまたがって記録されたデータを、連続再生に対応していない再生装置においても違和感なく再生できるようにする。【解決手段】単一のデータが複数の層に分散して記録されている場合に、前記分散して記録されている単一のデータを単一の層にまとめるように、記録済みデータを記録媒体上で再配置するようにして、複数の記録層にまたがって記録されたデータを、連続再生に対応していない再生装置においても違和感なく再生することを可能として、連続再生機能の有無に関係なく、スムーズなデータ再生を実現できるようにする。【選択図】図１
2008226289.tif 000002
【特許請求の範囲】
【請求項１】
複数の記録層を有する記録媒体に対し、動画データを記録する記録手段と、
前記記録媒体に記録された動画データのうち、複数の前記記録層に分割して記録された一連のシーンを示す前記動画データを、単一の前記記録層にまとめるよう、前記記録手段を制御するデータ再配置手段とを有することを特徴とする記録装置。
【請求項２】
前記データ再配置手段は、前記記録媒体をファイナライズする時に前記記録済みデータを記録媒体上で再配置することを特徴とする請求項１に記載の記録装置。
【請求項３】
前記データ再配置手段は、装置のバッテリー充電中に前記記録済みデータを記録媒体上で再配置することを特徴とする請求項１に記載の記録装置。
【請求項４】
前記データ再配置手段は、前記記録媒体へのデータ記録を終了した時に前記記録済みデータを記録媒体上で再配置することを特徴とする請求項１に記載の記録装置。
【請求項５】
前記データ再配置手段は、記録媒体を装置から取り出す時、または記録媒体を装置へ挿入する時に前記記録済みデータを記録媒体上で再配置することを特徴とする請求項１に記載の記録装置。
【請求項６】
前記データ再配置手段は、装置の使用者から実行要求があった際に前記記録済みデータを記録媒体上で再配置することを特徴とする請求項１に記載の記録装置。
【請求項７】
前記データ再配置手段は、更に、前記分割して記録された動画像データと他の動画像データとが、前記記録媒体に記録された順に再生されるよう、再生手順を制御するための管理情報を前記記録媒体に記録するよう、前記記録手段を制御することを特徴とする請求項１〜６の何れか１項に記載の記録装置。
【請求項８】
前記単一のデータは、撮像装置により撮影されたデータであり、撮影開始から撮影終了までのデータを含むことを特徴とする請求項１〜７の何れか１項に記載の記録装置。
【請求項９】
前記データ再配置手段は、単一の層にまとめることが可能な単一のデータに対して前記記録媒体上で再配置することを特徴とする請求項１〜８の何れか１項に記載の記録装置。
【請求項１０】
複数の記録層を有する記録媒体に対し、動画データを記録する記録工程と、
前記記録媒体に記録された動画データのうち、複数の前記記録層に分割して記録された一連のシーンを示す前記動画データを、単一の前記記録層にまとめるよう、前記記録工程を制御するデータ再配置工程とを有することを特徴とする記録方法。
【請求項１１】
複数の記録層を有する記録媒体に対し、動画データを記録する記録工程と、
前記記録媒体に記録された動画データのうち、複数の前記記録層に分割して記録された一連のシーンを示す前記動画データを、単一の前記記録層にまとめるよう、前記記録工程を制御するデータ再配置工程とをコンピュータに実行させることを特徴とするプログラム。
【請求項１２】
請求項１１に記載のプログラムを記憶したことを特徴とするコンピュータ読み取り可能な記憶媒体。
【発明の詳細な説明】
【技術分野】
【０００１】
本発明は記録装置及び記録方法に関し、特に、複数の記録層にまたがって記録されたデータを違和感なく再生できるようにするために用いて好適な技術に関する。
【背景技術】
【０００２】
近年、動画データや静止画データ及び音声データ等の記録を可能とするＤＶＤ（デジタル バーサタイル ディスク）などの光ディスクを記録媒体とする記録再生装置が広く知られている。さらに、データ量の増加等により、記録媒体の記録容量の増加が求められている中、片面に複数の記録再生層を設けることで記録容量を増加させた、多層光ディスクについても普及されている。
【０００３】
この多層光ディスクへの記録方法について代表的なものを、片面２層光ディスクを例に説明する。
まず、図６で示すように、「レイヤ０」において内周から外周へ記録して行き、「レイヤ０」の記録を終えると、同様に「レイヤ１」の内周から外周への記録を行う。このような記録方法をパラレルトラックパス（Parallel Track Path方式＝ＰＴＰ）と呼ぶ。また別の記録方法として、図７に示すように、「レイヤ０」の内周から外周へ記録した後、「レイヤ１」については外周から内周に向けて記録を行う、オポジットトラックパス（Opposite Track Path＝ＯＴＰ）と呼ぶ方法もある。
【０００４】
この多層光ディスクにおいて、単一のピックアップで記録再生を行う場合には、複数の層のそれぞれに対する記録再生動作の他に、ある層から別の層へと瞬時に層移行する動作も必要となる。
【０００５】
特に、映像データや音楽データなどのように、データを連続的に記録することが必要な場合には、ある層への記録が終了すると、ピックアップから放射される光ビームを、次にデータを記録する層の所定のトラック位置に迅速に移動する必要がある。また、それと同時に、光ビームの焦点移動を迅速に行って、再び記録動作に移行する必要がある。再生時についても同様な動作が要求される。
【０００６】
前述のような、光ビームの焦点移動であるフォーカスジャンプと、記録すべきトラックへのトラックジャンプの順序を状況に応じて選択することが考えられる。このようにすることによって、現在アクセスしている層とは異なる層の所定のトラック位置に迅速且つ正確に光スポットを移動させる方法が提案されている（例えば、特許文献１を参照）。
【０００７】
通常、前記のような多層光ディスクにデータを記録する際には、まず、第１の記録層への記録を行い、第１の記録層の記録容量がなくなると、第２の記録層へ記録する層を移して記録する。そして、記録容量がなくなると次の層への記録を行うというように、記録する層を切り替えるようにしている。
【０００８】
ここで、映像データや音楽データなどのようなＡＶ用途で、各層間にまたがって単一のデータを記録する場合を考える。ある層から別の層へ単一のデータを連続して記録する際に、記録層切り替え時の光ピックアップの移動期間中に入力されたデータについては、記録媒体への記録が不可能となる。この問題を解決する方法として、記録層切り替え時に入力されたデータをメモリに保持しておき、次の層に対して記録可能な状態になると、メモリに保持されているデータを記録媒体へ記録する方法が考えられている。
【０００９】
次に、前記方法などを用いることで複数の記録層にまたがって単一のデータが記録されている光ディスク記録媒体を再生する場合について考える。再生時についても再生層切り替え時の光ピックアップの移動期間中には記録媒体へのアクセスが不可能なために、再生時の映像や音声が途中で一時的に停止してしまうなどの不具合が生じる可能性がある。
【００１０】
このような問題を解決して連続な再生を実現する方法として、記録時について説明した場合と同様に、メモリを使用してデータを保持する。そして、光ピックアップの移動期間中に光ディスク記録媒体から先読みして再生した分のデータをメモリに保持しておく。このようにすることで、光ピックアップの移動期間中に再生データが途切れる等の不具合を解消する方法が考えられている（例えば、特許文献２、特許文献３を参照）。
【００１１】
また、再生層が切り換わるタイミングを検出し、層移行の直前に映像データまたは音声データのうち、少なくとも一方のデータに対してフェードアウト処理を行い、層移行直後にフェードイン処理を行うようにする。このようにすると、層移行時に映像や音声が急に停止することや、急に再生が開始することを防止することができ、使用者にできるだけ違和感を与えないように再生することを可能とする方法も考えられている（特許文献４参照）。
【００１２】
【特許文献１】特開平１０−１４３８７３号公報
【特許文献２】特開２０００−２６０１０７号公報
【特許文献３】特開２００５−１１４１６号公報
【特許文献４】特開２０００−６７５６４号公報
【発明の開示】
【発明が解決しようとする課題】
【００１３】
前記のように、光ディスクの層移行時に記録媒体へのアクセスができない期間のデータをメモリに保持しておくことにより、層をまたいだ連続記録及び連続再生をスムーズに行うことが可能である。
【００１４】
しかし、前記のような連続再生を可能とするためには、ある程度の容量のメモリが必要となる。しかしながら、特に、デジタルビデオカメラなどの民生用機器ではコストの面から大容量のメモリを配設することが比較的困難であり、連続再生機能を実現できない場合も生じる。
【００１５】
また、記録装置と再生装置とが異なる場合などでは、記録時には光ディスク記録媒体の層の切り替わり前後で単一のデータを連続して記録したとしても、再生装置が連続再生に対応していない場合には、層の切り替え時に映像及び音声が一時的に停止してしまう。したがって、使用者に不快感を与える可能性がある。
【００１６】
また、フェード処理の方法については、重要シーンが層切り替え付近に記録されている場合には、その重要シーンにフェードアウト、フェードインの処理をしてしまうことになり、使用者に不快感を与える可能性が考えられる。
【００１７】
本発明は前述の問題点に鑑み、複数の記録層にまたがって記録されたデータを、連続再生に対応していない再生装置においても違和感なく再生できるようにすることを目的としている。
【課題を解決するための手段】
【００１８】
本発明の記録装置は、複数の記録層を有する記録媒体に対し、動画データを記録する記録手段と、前記記録媒体に記録された動画データのうち、複数の前記記録層に分割して記録された一連のシーンを示す前記動画データを、単一の前記記録層にまとめるよう、前記記録手段を制御するデータ再配置手段とを有することを特徴とする。
【００１９】
本発明の記録方法は、複数の記録層を有する記録媒体に対し、動画データを記録する記録工程と、前記記録媒体に記録された動画データのうち、複数の前記記録層に分割して記録された一連のシーンを示す前記動画データを、単一の前記記録層にまとめるよう、前記記録工程を制御するデータ再配置工程とを有することを特徴とする。
【００２０】
本発明のプログラムは、複数の記録層を有する記録媒体に対し、動画データを記録する記録工程と、前記記録媒体に記録された動画データのうち、複数の前記記録層に分割して記録された一連のシーンを示す前記動画データを、単一の前記記録層にまとめるよう、前記記録工程を制御するデータ再配置工程とをコンピュータに実行させることを特徴とする。
【発明の効果】
【００２１】
本発明によれば、単一のデータが複数の層に分散して記録されている場合に、前記分散して記録されている単一のデータを単一の層にまとめるように、記録済みデータを記録媒体上で再配置するようにした。これにより、複数の記録層にまたがって記録されたデータを、連続再生に対応していない再生装置においても違和感なく再生することが可能となり、連続再生機能の有無に関係なく、スムーズなデータ再生を実現することができる。したがって、データ再生中の突発的な一時停止などの不具合を回避することが可能となり、使用者に不快感を感じさせない再生を実現することができる。
【発明を実施するための最良の形態】
【００２２】
（第１の実施の形態）
以下、本発明の実施形態を説明する。
図１は、本発明を実施する光ディスク記録装置を備えたデジタルビデオカメラの構成例を示すブロック図である。
【００２３】
まず、デジタルビデオカメラにより動画の撮影／記録を行う際には、マイク１０１により音声を取り込み、撮像部１００で映像を取り込む。撮像部１００は、レンズユニット、ＣＣＤ、Ａ／Ｄ変換器などを有し、被写体像を取り込みデジタル化されたデータは、画像処理部１０２で補正され、符号化／復号化処理部１０３へ送られる。
【００２４】
また、マイク１０１で取り込まれた音声データについても、Ａ／Ｄ変換によりデジタル化されたデータが、符号化／復号化処理部１０３へ送られる。符号化／復号化処理部１０３では、取り込んだ音声及び映像データを符号化して、メモリバス１１２を経由してメモリ１０４へ書き込む。
【００２５】
動画像の圧縮方式としてはＭＰＥＧ２（Moving Picture Experts Group）などが挙げられる。記録再生制御部１０５では、メモリ１０４からデータを読み出して、光ディスク記録媒体１０６への記録を行う。これにより、記録時の一連の処理を行う。記録再生制御部１０５は、不図示の光ピックアップユニット（ＯＰＵ）を有し、更に、ＯＰＵをディスク半径方向に移動するシークモータや、ディスク１０６を回転させるスピンドルモータなどのメカニズムを有する。そして、記録再生制御部１０５は、公知の技術を用いてディスク１０６に対して光ビームを照射し、データを記録する。また、ＯＰＵはディスク１０６に照射する光ビームの焦点を調整するためのレンズユニットを持つ。記録再生制御部１０５は、このレンズユニットを制御することで、光ディスク１０６において記録再生するべき記録層に対して光ビームが合焦するよう調整し、記録層を切り替える。本実施形態においては、動画像データを光ディスク記録媒体１０６に記録するようにしている。
【００２６】
また、ＣＰＵバス１１３を経由して、ＣＰＵ１１０によりこれら全体の処理を制御する。また、操作入力部１１１において、使用者によるデジタルビデオカメラ本体の操作に応じた処理を行う。次に、動画データの再生時の処理を説明する。
【００２７】
再生時には、記録再生制御部１０５において、光ディスク記録媒体１０６より読み出したデータを、メモリバス１１２経由でメモリ１０４へデータを書き込む。次に、符号化／復号化処理部１０３により、メモリ１０４からのデータを復号化して、音声データは、スピーカ１０８へ転送して、再生する。映像データについては、ＣＰＵバス１１３経由で表示制御部１０９へ転送されて、液晶パネル１０７などの表示部に再生される。これによりデジタルビデオカメラの基本的な構成の一例とする。
【００２８】
図２は、書き換え可能なＤＶＤへ動画データを記録して、そのＤＶＤのファイナライズ処理を行う際に、本実施形態を実施した場合のデータの配置を模式的に示す図である。図２では、「レイヤ０」は内周から外周へ向けて記録を行い、次に「レイヤ１」については外周から内周へ記録を行うオポジットトラックパスを例に説明している。
【００２９】
図２では、左から順にデータを記録していくようなイメージで、「レイヤ０」、「レイヤ１」を示している。図２（ア）ではＡ→Ｂ→Ｃ→Ｄ→Ｅという順にデジタルビデオカメラによる撮影を行い、Ｅデータ２０６を撮影した直後の光ディスク記録媒体上のデータの配置を示している。ここで、各データＡ〜Ｅは、図１のビデオカメラにおいて、撮影開始の指示から撮影停止の指示までの間に記録される一連のシーンの動画、音声データであり、本実施形態では、ディスクに記録した各データを一つのファイルとして管理する。
【００３０】
まず、Ａデータ２０１を撮影して、次にＢデータ２０２を撮影する。これらのデータは「レイヤ０」の記録容量にまだ余裕があるために、両データとも「レイヤ０」へ順に記録されるものとする。
【００３１】
次に、Ｃデータ２０３を撮影する場合を考える。ここでＣデータ２０３を撮影中に「レイヤ０」の記録容量が無くなり、次に「レイヤ１」への記録を行うものとする。ここで、ピックアップが「レイヤ０」から「レイヤ１」へ移動する際の光ディスク記録媒体１０６へ記録ができない期間のデータについてはメモリ１０４に保持しておく。そして、光ディスク記録媒体１０６への記録が可能な状態になってから、メモリ１０４のデータを記録するようにしている。このような記録を行うことにより、データが途中で途切れることなく単一のＣデータが２０３、２０４と「レイヤ０」及び「レイヤ１」にまたがって記録されているものとする。すなわち、「レイヤ０」及び「レイヤ１」に分散して記録されているものとする。
【００３２】
次に、Ｄデータ２０５を「レイヤ１」へ記録する。また、Ｅデータ２０６を「レイヤ１」へ順に記録する。図２（ア）は、このＥデータ２０６を記録した直後のデータの配置を示している。ここで、Ｃデータ２０３、２０４が「レイヤ０」及び「レイヤ１」の両方の層にまたがって記録されている。
【００３３】
次に、図２（ア）で示す状態でデータが記録されたディスクをＤＶＤプレーヤー等で再生した場合について説明する。図２で示すＡデータ２０１、Ｂデータ２０２、Ｄデータ２０５、Ｅデータ２０６については通常どおりの再生が可能である。しかし、「レイヤ０」及び「レイヤ１」の２つの層にまたがって記録されているＣデータ２０３、２０４については、以下の様な再生処理を行うことが考えられる。
【００３４】
即ち、ＤＶＤプレーヤーにおいては、「レイヤ０」の再生中に、層切り替え時に光ディスク記録媒体１０６にアクセスできない期間のデータを先読みして、メモリ１０４に保持しておく。そして、層切り替え時には、メモリ１０４に保持されたデータを再生することで、連続再生を可能とする方法がある。
【００３５】
しかし、すべてのＤＶＤプレーヤーがこのような機能を持つわけではない。そのようなＤＶＤプレーヤーでＣデータ２０３、２０４を再生した場合には、「レイヤ０」のＣデータ２０３再生中に、ピックアップが「レイヤ０」の最外周までくると「レイヤ０」から「レイヤ１」へとピックアップの移動が発生する。ここで、ピックアップの層移行中についてはＣデータを読み出せないために、データ再生中に一時的なフリーズなどの現象が発生して、利用者に違和感を与える状況となる。
【００３６】
図２を用いてさらに説明を続ける。
図２（ア）は、前記で記したように、Ｅデータ２０６を撮影した直後であり、本実施形態で行うデータの記録位置を再配置する前の状態を示している。また、図２（イ）は、本実施形態によるデータの再配置を実施した後の状態を示している。
【００３７】
図２（ア）では、Ｃデータが２０３、２０４で示すように「レイヤ０」、「レイヤ１」にまたがって記録されている。ここで、図２（イ）のように「レイヤ０」のＢデータ２０２を、「レイヤ１」のＢデータ２０８へ移動することで、図２（ア）のＢデータ２０２が記録されていた領域が空く。そこで、図２（ア）の「レイヤ１」に記録されていたＣデータ２０４を、「レイヤ０」へ移動させてＣデータ２０７とすることにより、２つの層にまたがって記録されていたＣデータ２０３，２０４を、図２（イ）のように「レイヤ０」へまとめることができる。すなわち、複数の記録層に分散記録されてしまったデータ（記録済データ）を、単一の層へまとめることができる。
【００３８】
結果として、本実施形態を書き換えを実行する前のＢデータ２０２とＣデータ２０４の配置を入れ替える。これにより、「レイヤ０」にはＡデータ、Ｃデータ、「レイヤ１」にはＢデータ、Ｄデータ、Ｅデータをまとめて記録することができ、データが２つの層にまたがって記録される状態を回避することができる。
【００３９】
図２（イ）のようなデータ配置の光ディスク記録媒体をＤＶＤプレーヤーで再生する場合には、Ｃデータの再生中に記録層の切り替えが無い。そのため、記録層の切り替わり部分のデータを先読みしてメモリに格納しておかなくても、Ｃデータをスムーズに再生することができる。なお、Ｃデータ２０３を再生した後でＣデータ２０７を再生するように、コンテンツ管理情報（ＴＯＣ）に記録しておくようにすることで、記録した順番に再生することができる。これにより、光ディスク記録媒体１０６に記録されている動画像データを再生する場合には、光ディスク記録媒体１０６に記録された順番に再生されるように、ＣＰＵ１１０が再生手順を制御する。
【００４０】
次に、図３を用いて、他の書き換え方法について説明を行う。
前記で説明した実施形態ではデータの入れ替えにより単一のデータが２つの層にまたがらずに記録される状態を実現している。しかし、別の方法として、図３で示すように、Ａデータ３０１、Ｂデータ３０２及びＣデータ３０３が「レイヤ０」に記録され、Ｃデータ３０４及びＤデータ３０５が「レイヤ１」に記録されている場合を例に説明する。このような場合には、図３（ア）の「レイヤ０」のＣデータ３０３を、図３（イ）のように「レイヤ１」の空き容量へＣデータ３０６として移動するようにする。このようにすることにより、単一のデータが複数の層にまたがって記録される状態を避けることを、実現することができる。つまり、データの交換ではなく、データを他のレイヤに移動するのみで実現可能な場合も考慮することができる。
【００４１】
次に、データの配置により、本実施形態の書き換えを実施することが不可能な場合について説明する。
図４では、始めに記録されたＡデータ４０１のサイズが大きく、Ａデータ４０１のみで「レイヤ０」から「レイヤ１」の一部までデータが記録されているものとする。
このような場合には、Ａデータをどのように移動しても２つの層をまたいでしまうために本実施形態によるデータの再配置による効果を得ることはできない。このように、１つのデータのサイズが、記録媒体における１つの層の記録容量より大きい場合は、本実施形態を活用することで不可能である。
また、二つの記録層に分割記録されたデータのうち、一方の記録層に記録されたデータの量が他方の記録層の空き容量よりも小さい場合には、この一方のデータを他方の記録層に移動することができる。
また、２つの記録層に分割記録されたデータのうち一方の記録層と同じ記録層の他のデータが、分割記録されたデータのうち他方の記録層に記録された方のデータ量よりも大きく、この他のデータよりも他方の記録層の空き容量が大きい場合、図２の如く入れ替えが可能である。
また、本実施形態を実行する際の前提条件として、１つに書き換え可能な記録媒体であることである。２つめとして、少なくとも２つ以上の記録層をもつ記録媒体であることが挙げられる。
【００４２】
次に、図５を用いて、本実施形態を利用した場合の処理手順の一例を説明する。図５は、本実施形態であるデータの再配置を実行可能なデジタルビデオカメラにおいて、データ再配置を記録媒体のファイナライズ時に行う場合の処理手順である。なお、図５の処理は、ＣＰＵ１１０が各部を制御することにより実現される。
【００４３】
まず、図５に示すように、ステップＳ５０１において、ユーザによりファイナライズの要求が発生したことを検出する。具体的には、デジタルビデオカメラのファイナライズ実行ボタンが押された場合が考えられる。
【００４４】
次に、ステップＳ５０２において、書き込みをしている光ディスク記録媒体１０６などの記録媒体が、書き換え可能なものであるかどうかをチェックする。このチェックの結果、書き換えが不可能な場合にはデータの再配置は行わずに、ステップＳ５０７よりファイナライズを実行して処理を終える。
【００４５】
一方、ステップＳ５０２のチェックにおいて書き換え可能な記録媒体の場合には、次にステップＳ５０３において、記録媒体に記録されているデータの配置をチェックする。このチェックは、単一のデータが複数の層にまたがって記録されているか否かをチェックする。このチェックの結果、単一のデータが複数の層にまたがって記録されている場合は処理をステップＳ５０４へ移行する。また、ステップＳ５０３のチェックの結果、複数の層にまたがったデータが無い場合には本実施形態による再配置の効果が無いために、ステップＳ５０７よりファイナライズを実行して終了する。
【００４６】
次に、ステップＳ５０４では、データの再配置を行うことで、単一のデータが複数の層にまたがって記録されている状態を解消して、単一のデータを単一の層にまとめることができるか否かをチェックする。不可能な例としては、前述した図４のように、単一のデータのサイズが記録媒体の単一の層の記録容量より大きい場合などが考えられる。
【００４７】
ステップＳ５０４のチェックの結果、単一のデータを１つの層にまとめることが可能な場合にはステップＳ５０５へ処理を進める。また、ステップＳ５０４のチェックの結果、不可能な場合には、ステップＳ５０７よりファイナライズを実行して終了する。
【００４８】
次に、ステップＳ５０５では、本実施形態によるデータの再配置を実際に実行するか否かをデジタルビデオカメラの使用者に問い掛ける。この問い掛けの結果、使用者から実行要求があって再配置を実行する場合にはステップＳ５０６に進み、データの再配置を実行してから、ステップＳ５０７においてファイナライズを行い一連の処理を終了する。また、ステップＳ５０５における問い掛けの結果、データの再配置を行わない場合には、ステップＳ５０７よりファイナライズを行い一連の処理を終了する。
【００４９】
なお、今回はこのような処理手順について説明を行ったが、例えば、ステップＳ５０５の処理を省き、データ再配置により効果が見られる場合には、使用者に問い合わせることなく、自動的にデータ再配置処理を実行するようなものも考えられる。
【００５０】
また、前記実施形態では、データの再配置を記録媒体のファイナライズの際に行う例を説明したが、データの再配置を行うタイミングとしてはその他にも考えることができる。例えば、デジタルビデオカメラにおいて、映像を撮影中から撮影を停止したタイミングで、データの再配置を行うということも考えられる。
【００５１】
また、デジタルビデオカメラ本体に記録媒体を挿入したまま、充電した際に、データの再配置を行うというものも考えることができる。他の方法としては、記録媒体の出し入れの際に実行することも考えることができる。また、デジタルビデオカメラ本体にデータ再配置ボタンを付加しておき、使用者がそのボタンを押したときに実行するというものも考えられる。このように本実施形態であるデータの再配置を行うタイミングとしては様々なものを考えることができる。
【００５２】
また、本実施形態を実行することで、記録媒体上のデータの位置を再配置するが、データの再生時の順序は、再配置を実施する前の順序、つまりは記録順序で再生することが可能であることは勿論である。
【００５３】
本実施形態の記録装置は、ビデオカメラまたはＤＶＤ記録再生装置に組み込んで使用することができる。例えば、ビデオカメラに組み込まれた場合においては、前記単一のデータは、撮像部１００により撮影されたデータであり、撮影開始から撮影終了までのデータを含むことになる。
【００５４】
また、データの再配置を行うタイミングとしては、例えば、装置を駆動するためのバッテリー充電中に前記記録済みデータを記録媒体上で再配置することが考えられる。
【００５５】
（本発明に係る他の実施の形態）
前述した本発明の実施の形態における記録装置を構成する各手段、並びに記録方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５６】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００５７】
なお、本発明は、前述した実施の形態の機能を実現するソフトウェアのプログラム（実施の形態では図５に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００５８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５９】
その場合、プログラムの機能を有していれば、オブジェクトコード、インタプリタにより実行されるプログラム、ＯＳに供給するスクリプトデータ等の形態であってもよい。
【００６０】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープなどがある。また、不揮発性のメモリカード、ＲＯＭ、ＤＶＤ（ＤＶＤ−ＲＯＭ，ＤＶＤ−Ｒ）などがある。
【００６１】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００６２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせル。そして、その鍵情報を使用することにより暗号化されたプログラムを実行してコンピュータにインストールさせて実現することも可能である。
【００６４】
また、コンピュータが、読み出したプログラムを実行することによって、前述した実施の形態の機能が実現される。この他に、そのプログラムの指示に基づき、コンピュータ上で稼動しているＯＳなどが、実際の処理の一部または全部を行い、その処理によっても前述した実施の形態の機能が実現され得る。
【００６５】
さらに、記憶媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６６】
【図１】本発明の実施形態を示し、記録装置をデジタルビデオカメラに設けた例を説明するブロック図である。
【図２】データの再配置の第１の例を説明する図である。
【図３】データの再配置の第２の例を説明する図である。
【図４】データの再配置を行うことができない例を説明する図である。
【図５】データの再配置を行う手順の一例を説明するフローチャートである。
【図６】パラレルトラックパスによるデータ記録順序を説明する図である。
【図７】オポジットトラックパスによるデータ記録順序を説明する図である。
【符号の説明】
【００６７】
１００  撮像部
１０１  マイク
１０２  画像処理部
１０３  符号化／復号化処理部
１０４  メモリ
１０５  記録再生制御部
１０６  光ディスク記録媒体
１０７  表示部
１０８  スピーカ
１０９  表示制御部
１１０  ＣＰＵ
１１１  操作入力部
１１２  メモリバス
１１３  ＣＰＵバス
【図１】
2008226289.tif 000003
【図２】
2008226289.tif 000004
【図３】
2008226289.tif 000005
【図４】
2008226289.tif 000006
【図５】
2008226289.tif 000007
【図６】
2008226289.tif 000008
【図７】
2008226289.tif 000009